(57)【要約】【課題】着用したワイシャツ類等の衣服の衿部全体を保形する機能、特に、開衿状態の衿台の先端部を保形する機能を有する衣服の衿部の保形構造及びそれに用いる保形具を提供すること。【解決手段】ワイシャツ類１を着用したときに、衿１１の下に位置する衿台１２の背側に、帯状の保形具２の中間部を保持するループ状部１３を、衿台１２の先端部１２ａ、１２ｂに、保形具２の先端部を保持する袋状部１４ａ、１４ｂを、それぞれ備える。【選択図】図１
2017061762.tif 000002
【特許請求の範囲】
【請求項１】
衿付きの衣服の衿台の背側に、帯状の保形具の中間部を保持するループ状部を、衿台の先端部に、前記保形具の先端部を保持する袋状部を、それぞれ備えてなることを特徴とする衣服の衿部の保形構造。
【請求項２】
衿付きの衣服の衿台の背側から先端部に沿って装着される衣服の衿部の保形に用いる帯状の保形具であって、全体が弧状に形成されてなり、自己形状保持性を有する合成樹脂製のものからなることを特徴とする衣服の衿部の保形に用いる保形具。
【請求項３】
前記保形具が、射出成形によって製造された熱可塑性エラストマ又はポリアミド樹脂製のものからなることを特徴とする請求項１記載の衣服の衿部の保形に用いる保形具。
【発明の詳細な説明】
【技術分野】
【０００１】
本発明は、衣服の衿部の保形構造及びそれに用いる保形具に関するものである。
【背景技術】
【０００２】
従来、製造したワイシャツ類の衿部が、輸送中や販売、保管中に型崩れしないようにするために、ワイシャツ類の衿台と衿羽根の間に、合成樹脂製や厚紙製の帯状の保形具を挿入することが行われている（例えば、特許文献１参照。）。
【０００３】
ところで、上記ワイシャツ類の衿台と衿羽根の間に挿入して用いられる帯状の保形具は、ワイシャツ類を着用するときは、外して、廃棄することを前提とされており、着用したワイシャツ類の衿部を保形する機能、特に、開衿状態の衿台の先端部を保形する機能を有するものではなかった。
【０００４】
なお、着用したワイシャツ類の衿部を保形する機能を有するものとして、衿羽根の表布と裏布の間に形成された収納部に、シート状の衿用保形具を挿入することが提案され、実用化されているが、このものは、衿羽根を保形する機能に特化したもので、着用したワイシャツ類の衿部全体を保形する機能、特に、開衿状態の衿台の先端部を保形する機能を有するものではなかった。
【先行技術文献】
【特許文献】
【０００５】
【特許文献１】特開２００３−１９２０７１号公報
【特許文献２】特開２０００−１２９５０１号公報
【発明の概要】
【発明が解決しようとする課題】
【０００６】
本発明は、着用したワイシャツ類等の衣服の衿部全体を保形する機能、特に、開衿状態の衿台の先端部を保形する機能を有する衣服の衿部の保形構造及びそれに用いる保形具を提供することを目的とする。
【課題を解決するための手段】
【０００７】
上記目的を達成するため、本発明の衣服の衿部の保形構造は、衿付きの衣服の衿台の背側に、帯状の保形具の中間部を保持するループ状部を、衿台の先端部に、前記保形具の先端部を保持する袋状部を、それぞれ備えてなることを特徴とする。
【０００８】
また、本発明の衣服の衿部の保形に用いる保形具は、衿付きの衣服の衿台の背側から先端部に沿って装着される衣服の衿部の保形に用いる帯状の保形具であって、全体が弧状に形成されてなり、自己形状保持性を有する合成樹脂製のものからなることを特徴とする。
【０００９】
この場合において、前記保形具が、射出成形によって製造された熱可塑性エラストマ又はポリアミド樹脂製のものとすることができる。
【発明の効果】
【００１０】
本発明の衣服の衿部の保形構造及びそれに用いる保形具によれば、衿付きの衣服の衿台の背側に、帯状の保形具の中間部を保持するループ状部を、衿台の先端部に、前記保形具の先端部を保持する袋状部を、それぞれ備えるようにして、全体が弧状に形成されてなり、自己形状保持性を有する合成樹脂製の帯状の保形具を、その中間部をループ状部によって、また、その先端部を袋状部によって、それぞれ保持するようにすることで、衿台の背側から先端部に沿って装着することにより、着用したワイシャツ類等の衣服の衿部全体、特に、開衿状態の衿台の先端部を保形することができる。
【００１１】
また、前記保形具が、射出成形によって製造された熱可塑性エラストマ又はポリアミド樹脂製のものとすることにより、自己形状保持性と変形性能とを備え、負荷を受けても割れたり、折れたりしにくく、熱や薬品に対しても変形したり、変質しにくいものとすることができる。
【図面の簡単な説明】
【００１２】
【図１】本発明の衣服の衿部の保形構造を適用したワイシャツ類の一実施例を示す衿部の背面図である。
【図２】本発明の衣服の衿部の保形構造に用いる保形具の一実施例を示し、（ａ）は正面図、（ｂ）は平面図である。
【発明を実施するための形態】
【００１３】
以下、本発明の衣服の衿部の保形構造及びそれに用いる保形具の実施の形態を、図面に基づいて説明する。
【００１４】
図１に、本発明の衣服の衿部の保形構造を適用したワイシャツ類の一実施例を、図２に、本発明の衣服の衿部の保形構造に用いる保形具の一実施例を、それぞれ示す。
【００１５】
本発明の衣服の衿部の保形構造を適用したワイシャツ類１は、図１に示す衿部の背面図のように、ワイシャツ類１を着用したときに、衿１１の下に位置する衿台１２の背側に、帯状の保形具２の中間部を保持するループ状部１３を、衿台１２の先端部１２ａ、１２ｂに、保形具２の先端部を保持する袋状部１４ａ、１４ｂを、それぞれ備えるようにする。
【００１６】
この場合、ループ状部１３及び袋状部１４ａ、１４ｂは、ワイシャツ類１を縫製する際に、適宜大きさの布片を衿台１２に縫い付けることにより形成することができる。
【００１７】
なお、帯状の保形具２の中間部を保持するループ状部１３は、複数、間隔をあけて備えるようにすることもできる。
また、衿台１２の背面側（外側）の布地にスリットを２箇所形成することによって、当該布地をループ状部１３とすることもできる。
【００１８】
また、袋状部１４ａ、１４ｂは、衿台１２の先端部１２ａ、１２ｂの釦１５ａ及び釦穴１５ｂの後方に形成するようにするが、衿台１２の先端部１２ａ、１２ｂの背面側（外側）の布地にスリットを形成し、衿台１２の先端部１２ａ、１２ｂを、袋状部と共用するようにすることもできる。
なお、衿台１２の先端部１２ａ、１２ｂを、袋状部と共用するようにする場合、保形具２の先端部に、釦１５ａ及び釦穴１５ｂの縫い付け部と干渉しないように、切り溝（図示省略）を形成することができる。
【００１９】
ところで、本実施例においては、保形具２を、衿台１２の背面側（外側）に装着するようにしたが、保形具２を、衿台１２の前面側（内側）に装着するようにすることもでき、これに併せて、ループ状部１３及び袋状部１４ａ、１４ｂを形成する箇所を変更（衿台１２の背面側（外側）から前面側（内側）に変更）するようにする。
【００２０】
また、本発明の衣服の衿部の保形に用いる保形具２は、ワイシャツ類１の衿台１２の背側から先端部に沿って装着することによって、ワイシャツ類１の衿部の保形に用いる合成樹脂製の帯状のもので、全体が弧状に形成されてなり、自己形状保持性、すなわち、それ単独で弧状の形状を維持し、例えば、負荷を受けて変形しても、負荷を取り除くと、それ単独で当初の弧状の形状に復帰する形状特性を有するように構成されている。
【００２１】
このような自己形状保持性を持たせるために、この保形具２は、シート状の原材料を打ち抜いて製造するフラットプレス成形ではなく、射出成形によって所定の厚みｔ（例えば、１．０〜２．０ｍｍ、好ましくは、１．３〜１．５ｍｍ程度）を有するように製造するようにし、さらに、材料には、熱可塑性エラストマ、より具体的には、例えば、ポリエステルエラストマのほか、ポリアミド樹脂を好適に用いることができる。
これにより、保形具２が、自己形状保持性と変形性能とを備え、負荷を受けても割れたり、折れたりしにくく、熱や薬品に対しても変形したり、変質しにくいものとすることができる。
【００２２】
ところで、本実施例において、保形具２は、ワイシャツ類１の衿部の保形をするための単機能のものとして構成したが、他の付加的な機能、例えば、保水機能を持たせて、冷感を発揮するようにしたり、発熱機能を持たせて、温感を発揮するようにしたり、消臭・芳香剤の保時機能を持たせることができる。
【００２３】
このワイシャツ類１の衿部の保形構造及びそれに用いる保形具２によれば、衿台１２の背側に、帯状の保形具２の中間部を保持するループ状部１３を、衿台１２の先端部１２ａ、１２ｂに、保形具２の先端部を保持する袋状部１４ａ、１４ｂを、それぞれ備えるようにして、全体が弧状に形成されてなり、自己形状保持性を有する帯状の保形具２を、その中間部をループ状部１３によって、また、その先端部を袋状部１４ａ、１４ｂによって、それぞれ保持するようにすることで、衿台１２の背側から先端部１２ａ、１２ｂに沿って装着することにより、着用したワイシャツ類１の衿部全体、特に、開衿状態の衿台１２の先端部１２ａ、１２ｂを保形することができる。
なお、ワイシャツ類１を洗濯（クリーニング）する場合は、衿台１２に装着されている保形具２を、衿台１２から取り外して、洗濯（クリーニング）を行い、ワイシャツ類１を着用する際に、再度装着するようにする。
【００２４】
以上、本発明の衣服の衿部の保形構造及びそれに用いる保形具について、ワイシャツ類の実施例に基づいて説明したが、本発明は上記実施例に記載した構成に限定されるものではなく、ニットシャツ、ポロシャツ、ブラウス等の衿付きの衣服に広く適用することができるものである等、その趣旨を逸脱しない範囲において適宜その構成を変更することができるものである。
【産業上の利用可能性】
【００２５】
本発明の衣服の衿部の保形構造及びそれに用いる保形具は、着用したワイシャツ類等の衣服の衿部全体を保形する機能、特に、開衿状態の衿台の先端部を保形する機能を有していることから、ワイシャツ類の用途に好適に用いることができるほか、ニットシャツ、ポロシャツ、ブラウス等の衿付きの衣服に広く適用することができる。
【符号の説明】
【００２６】
１  ワイシャツ類
１１  衿
１２  衿台
１２ａ  先端部
１２ｂ  先端部
１３  ループ状部
１４ａ  袋状部
１４ｂ  袋状部
１５ａ  釦
１５ｂ  釦穴
２  保形具
【図１】
2017061762.tif 000003
【図２】
2017061762.tif 000004
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
衿付きの衣服の衿台の背側に、帯状の保形具の中間部を保持するループ状部を、衿台の先端部に、前記保形具の先端部を保持する袋状部を、それぞれ備えてなることを特徴とする衣服の衿部の保形構造。
【請求項２】
衿付きの衣服の衿台の背側から先端部に沿って装着される衣服の衿部の保形に用いる帯状の保形具であって、全体が弧状に形成されてなり、自己形状保持性を有する合成樹脂製のものからなることを特徴とする衣服の衿部の保形に用いる保形具。
【請求項３】
前記保形具が、射出成形によって製造された熱可塑性エラストマ又はポリアミド樹脂製のものからなることを特徴とする請求項２記載の衣服の衿部の保形に用いる保形具。